(57)【特許請求の範囲】
【請求項１】
電線を接続する端子部と別の部品を接続する部材接続部とを備えた導電板を、絶縁物本体の開口部から挿入し、前記導電板と前記絶縁物本体に設けた相互に係合する係止部により固定される端子装置において、
前記端子部を鎖錠ばね部と導電部からなる速結端子とし、電線挿入時の前記速結端子の変形により、前記導電板の一部が前記絶縁物本体に当接し、前記導電板が位置決めされ、
前記係止部は、前記導電板から切り起こした係止爪と、前記絶縁物本体に設けられた切欠部とからなり、
前記切欠部は外部に貫通して前記係止爪の係止解除に利用することができる穴を有するとともに、電線挿入前は機能せず、電線挿入後に抜け止め機能を果たす別の係止部を前記導電板と前記絶縁物本体間に設けた端子装置。
【請求項２】
前記導電板の変形の支点が、前記絶縁物本体の電線挿入穴側にある請求項１記載の端子装置。
【請求項３】
前記絶縁物本体に、前記電線もしくはランプなどの電気部品の保持を行う部材保持部を設けた請求項１または請求項２記載の端子装置。
【請求項４】
前記絶縁物本体と前記導電板の間に形成された導電板挿入のためのクリアランスより、前記電線の挿入による前記導電板の前記クリアランスを狭くする方向への変形量が大きい請求項１、請求項２または請求項３記載の端子装置。
【発明の詳細な説明】
【０００１】
【発明の属する技術分野】
この発明は、端子装置に関するものである。
【０００２】
【従来の技術】
従来、絶縁物の本体に、電線と別部材を保持する導電板を、部品や工程の追加を行わずに係止固定して構成する端子装置がある。この端子装置は、例えばグロースタータソケットの電線とグローランプ接続機構として利用することができる。
【０００３】
図１４は従来例１と２を上下に分割して示した説明図である。図１４に示すように、電線を接続する端子部５０を有する導電板５１を、絶縁物本体５２の開口部から挿入し、導電板５１に設けた係止爪５３を絶縁物本体５２に設けた切欠部５４に係止固定している。この場合、上側の従来例１のように、切欠部５４と係止爪５３のかかりを浅くすれば、組立時の挿入性は良いが、導電板５１のがたつきの原因になる。また、下側の従来例２のように、切欠部５４と係止爪５３のかかりが深くして係止爪５３の弾性変形量を大きくすれば、導電板５１は係止爪５３によって強く押さえ付けられ、がたつきや外れのおそれはないが、組立時に挿入する力が大きく、また分解し難い。
【０００４】
【発明が解決しようとする課題】
上記のように従来の端子装置では、従来例１のように導電板の位置決めを確実に行うのが難しい。よって、導電板に接続する別部品取り付けの際の位置決めも不安定になるという問題がある。
【０００５】
上記問題を改善するために、従来例２のように強固な取り付けを行えば、絶縁物本体への組込みに際して大きな力が必要となり、組立作業性が低下する。
【０００６】
また、導電板を一度組み込むと分解が困難であり、導電板の交換や分別廃棄が行い難い。分解には、絶縁物本体の破壊を伴うことが多い。
【０００７】
したがって、この発明の目的は、導電板の位置決めを確実に行えるとともに、組立作業性の向上、および容易に分解できる端子装置を提供することである。
【０００８】
【課題を解決するための手段】
上記課題を解決するためにこの発明の請求項１記載の端子装置は、電線を接続する端子部と別の部品を接続する部材接続部とを備えた導電板を、絶縁物本体の開口部から挿入し、前記導電板と前記絶縁物本体に設けた相互に係合する係止部により固定される端子装置において、
前記端子部を鎖錠ばね部と導電部からなる速結端子とし、電線挿入時の前記速結端子の変形により、前記導電板の一部が前記絶縁物本体に当接し、前記導電板が位置決めされ、
前記係止部は、前記導電板から切り起こした係止爪と、前記絶縁物本体に設けられた切欠部とからなり、
前記切欠部は外部に貫通して前記係止爪の係止解除に利用することができる穴を有するとともに、電線挿入前は機能せず、電線挿入後に抜け止め機能を果たす別の係止部を前記導電板と前記絶縁物本体間に設けたものである。
【０００９】
このように、端子部を鎖錠ばね部と導電部からなる速結端子とし、電線挿入時の速結端子の変形により、導電板の一部が絶縁物本体に当接し、導電板が位置決めされるので、速結端子に電線を挿入する際の導電板のたわみを利用することで、使用中（電線挿入後）は、確実に導電板の位置決めがなされる。これに伴い別の部品の部材接続部への接続を安定して行うことができる。また、電線挿入前は、導電板と絶縁物本体の間にクリアランスが形成されることで、導電板を絶縁物本体に容易に挿入することができ、組立作業性が向上するとともに容易に分解できる。
【００１０】
また、係止部は、導電板から切り起こした係止爪と、絶縁物本体に設けられた切欠部とからなるので、組立作業性を損なわない程度に予め係止爪にばね性を持たせることができる。このため、電線挿入前でも導電板の位置決めができる。また、絶縁物本体が一部品で袋状のときは、内部に突起を設けるよりも外部から穴をあける等の切削加工により切欠部を設ける方が容易である。
さらに、切欠部は前記穴のように、外部に貫通して係止爪の係止解除に利用することができる穴を有するとともに、電線挿入前は機能せず、電線挿入後に抜け止め機能を果たす別の係止部を導電板と絶縁物本体に設けたので、導電板の絶縁物本体からの分解が可能であるとともに、電線挿入後は、誤って係止爪が押圧されて切欠部との係止が解除されても、別の係止部で抜け止めされる。
【００１２】
請求項２記載の端子装置は、請求項１記載の端子装置において、導電板の変形の支点が、絶縁物本体の電線挿入穴側にあるものである。
このように、導電板の変形の支点が、絶縁物本体の電線挿入穴側にあるので、電線の挿入保持により開口部側の導電板と絶縁物本体のクリアランスが小さくなり、導電板をこじって外すのが困難になる。また、これに伴い係止爪と切欠部のかかり代がより深くなる方向に変形する。電線挿入前なら、開口部から導電板をこじって外し、分解することも可能である。
【００１４】
請求項３記載の端子装置は、請求項１または請求項２記載の端子装置において、絶縁物本体に、電線もしくはランプなどの電気部品の保持を行う部材保持部を設けたものである。導電板の位置決め精度が請求項１または請求項２の構成により高いため、上記のように、絶縁物本体に、導電板の部材接続部に接続される電線もしくはランプなどの電気部品の保持を行う部材保持部を設けることで、導電板と電気部品の電気的な接触も安定する。
【００１５】
請求項４記載の端子装置は、請求項１、請求項２または請求項３記載の端子装置において、絶縁物本体と導電板の間に形成された導電板挿入のためのクリアランスより、電線の挿入による前記導電板の前記クリアランスを狭くする方向への変形量が大きいものである。
このように、絶縁物本体と導電板の間に形成された導電板挿入のためのクリアランスより、電線の挿入による導電板のクリアランスを狭くする方向への変形量が大きいので、電線挿入状態で導電板のがたつきがなくなる。
【００１６】
【発明の実施の形態】
この発明の第１の実施の形態を図１および図２に基づいて説明する。図１はこの発明の第１の実施の形態の端子装置の電線挿入前の断面図、図２はその電線挿入後の断面図である。
【００１７】
図１および図２に示すように、この端子装置は、電線１３を接続する端子部３と別の部品を接続する部材接続部４とを備えた導電板１を、絶縁物本体２の開口部５から挿入し、導電板１と絶縁物本体２に設けた相互に係合する係止部６により固定される。
【００１８】
導電板１は、略矩形に折曲形成された４つの側片１ａ，１ｂ，１ｃ，１ｄからなり、両端にある一対の側片１ａ，１ｂを近接させることで端子部３が構成される。端子部３は鎖錠ばね部７と導電部８からなる速結端子であり、一方の側片１ａに鎖錠ばね部７、他方の側片１ｂに導電部８が形成されている。側片１ｂには導電板１の抜け止め機能として穴または切欠きからなる凹部９が設けてある。また、側片１ｂに隣接した側片１ｃに部材接続部４が形成される。
【００１９】
絶縁物本体２は、導電板１を挿入可能な容器であり、開口部５と反対側の底部に電線挿入穴１０および電線解除穴１１が設けられる。また、絶縁物本体２の内側面に導電板１の凹部９に係合可能な凸部１２が設けられ、凹部９と凸部１２で係止部６が構成される。凸部１２は、開口部５側を傾斜面として導電板１を絶縁物本体２内に入り易くしている。導電板１を挿入した状態で、凸部１２と対向する絶縁物本体２の内側面と、これに対向する導電板１の側片１ｄとの間にクリアランスＡが形成されている。このクリアランスＡは、縦方向のがたつきの原因であり、導電板１を挿入するための挿入代だけでなく、組立作業性も考慮する。また、導電板１の側片１ｂの端部と絶縁物本体２の底部とのクリアランスＢは横方向のがたつきの原因となる。
【００２０】
電線挿入状態では、電線挿入時の速結端子３の変形により、導電板１の一部が絶縁物本体２に当接し、導電板１が位置決めされる。すなわち、図２に示すように、電線１３を電線挿入穴１０に挿入すると、鎖錠ばね部７と導電部８との間に電線１３が入って接続状態となる。寸法ａは導電部８の範囲を示す。この際、鎖錠ばね部７が弾性変形してたわみ、電線１３を導電部８側へ押し付けるとともに、鎖錠ばね部７に隣接する側片１ｄが絶縁物本体２の内側面に当接する。これにより、クリアランスＡによる縦方向のがたつきがなくなる。また、電線１３の挿入により導電部８側の側片１ｂが絶縁物本体２の内側面に当接し、クリアランスＢによる横方向のがたつきがなくなる。
【００２１】
また、電線解除穴１１より棒などを挿入して鎖錠ばね部７を押圧することで、電線１３を解除することができる。電線１３を解除すればクリアランスＡにより、導電板１と絶縁物本体２を容易に分解することができる。
【００２２】
以上のようにこの実施の形態によれば、速結端子３に電線１３を挿入する際の導電板１のたわみを利用することで、使用中（電線挿入後）は、確実に導電板１の位置決めがなされる。これに伴い別の部品の部材接続部４への接続を安定して行うことができる。また、電線挿入前は、導電板１と絶縁物本体２の間にクリアランスが形成されることで、導電板１を絶縁物本体２に容易に挿入することができ、組立作業性が向上する。
【００２３】
この発明の第２の実施の形態を図３ないし図５に基づいて説明する。図３はこの発明の第２の実施の形態の端子装置の電線挿入前の断面図、図４はその電線挿入後の断面図である。
【００２４】
図３および図４に示すように、この端子装置は、第１の実施の形態と同様に導電板１と絶縁物本体２とを備え、導電板１と絶縁物本体２に設けた相互に係合する係止部１５により固定される。係止部１５は、導電板１から切り起こした係止爪１６と、絶縁物本体２に設けられた切欠部１７とからなる。
【００２５】
導電板１は、第１の実施の形態と同様に４つの側片１ａ，１ｂ，１ｃ，１ｄからなるが、側片１ｂには凹部の代わりに係止爪１６が設けてある。この係止爪１６は、側片１ｃ側を切り起こして形成されている。
【００２６】
絶縁物本体２は、第１の実施の形態と同様に導電板１を挿入可能な容器であり、その内側面には凸部の代わりに係止爪１６に係合可能な切欠部１７が設けてある。この切欠部１７は外部から穴１８をあけて形成することができる。導電板１を挿入した状態で、切欠部１７を設けた絶縁物本体２の内側面と、これに対向する導電板１の側片１ｂとの間にクリアランスＡが形成されている。このクリアランスＡは、縦方向のがたつきの原因である。また、導電板１の係止爪１６の端部とこれに近接する絶縁物本体２の切欠部１７の側面とのクリアランスＢは横方向のがたつきの原因となる。
【００２７】
電線挿入状態では、電線挿入時の速結端子３の変形により、導電板１の一部が絶縁物本体２に当接し、導電板１が位置決めされる。すなわち、図４に示すように、電線１３を電線挿入穴１０に挿入すると、鎖錠ばね部７と導電部８との間に電線１３が入って接続状態となる。寸法ａは導電部８の範囲を示す。この際、鎖錠ばね部７が弾性変形してたわみ、電線１３を導電部８側へ押し付けて保持する。この電線１３の挿入保持により、導電部８が電線１３より力を受け導電板１が変形する。これに伴い、図５に示すように係止爪１６のたわみも大きくなる。図５（ａ）は電線挿入前、（ｂ）は挿入後である。図中、のベクトルは係止爪１６の先端が絶縁物本体（切欠部１７）に与える力を示す。このため、縦方向の力が大きくなり、横方向の突っ張りも生じるため、クリアランスＡ，Ｂによる縦方向および横方向のがたつきがなくなる。
【００２８】
また、電線解除穴１１より棒などを挿入して鎖錠ばね部７を押圧することで、電線１３を解除することができる。電線１３を解除すればクリアランスＡ，Ｂにより、導電板１と絶縁物本体２を容易に分解することができる。
【００２９】
以上のようにこの実施の形態によれば、組立作業性を損なわない程度に、予め係止爪１６にばね性を持たせることができる。絶縁物本体２が１部品で袋状のときには、袋内部に突起を作るよりも、外部から穴をあけて切欠部１７を作る方が容易である。その他の構成および効果は、第１の実施の形態と同様である。
【００３０】
この発明の第３の実施の形態を図６および図７に基づいて説明する。図６はこの発明の第３の実施の形態の端子装置の電線挿入前の断面図、図７はその電線挿入後の断面図である。
【００３１】
図６および図７に示すように、この端子装置は、第１の実施の形態と同様に導電板１と絶縁物本体２とを備え、導電板１と絶縁物本体２に設けた相互に係合する係止部１５により固定される。係止部１５は、導電板１から切り起こした係止爪１６と、絶縁物本体２に設けられた切欠部１７とからなる。また、係止部１５に、導電板１と絶縁物本体２を分解するための機構を設け、さらに電線挿入前は機能せず、電線挿入後に抜け止め機能を果たす別の係止部２０を導電板１と絶縁物本体２に設けてある。
【００３２】
導電板１は、第１の実施の形態と同様に４つの側片１ａ，１ｂ，１ｃ，１ｄからなるが、側片１ｂには凹部の代わりに係止爪１６が設けてある。この係止爪１６は、側片１ｃ側を切り起こして形成されている。また、側片１ｄの鎖錠ばね部７側に凹部２０ａが設けてある。
【００３３】
絶縁物本体２は、第１の実施の形態と同様に導電板１を挿入可能な容器であり、その内側面には凸部の代わりに係止爪１６に係合可能な切欠部１７が設けてある。この切欠部１７は外部まで貫通した穴であり、導電板１と絶縁物本体２を分解するための機構となる。また、絶縁物本体２の切欠部１７に対向する内側面には凹部２０ａが係合可能な凸部２０ｂが設けられ、凹部２０ａと凸部２０ｂで別の係止部２０が構成される。なお、凹部を絶縁物本体２、凸部を導電板１に設けてもよい。導電板１を挿入した状態で、凹部２０ａを設けた絶縁物本体２の内側面と、これに対向する導電板１の側片１ｄとの間にクリアランスＡが形成されている。このクリアランスＡは、縦方向のがたつきの原因である。また、凸部２０ａの高さ寸法Ｃは、クリアランスＡより狭くして、電線挿入後のみ係止部として働くようにしている。この場合、側片１ｄの鎖錠ばね部７側を内側に折曲しているので、電線挿入前において凹部２０ａと凸部２０ｂが離間し、係止部として働くことはないが、折曲しない場合でも係止部として働くことはない。
【００３４】
電線挿入状態では、電線挿入時の速結端子３の変形により、導電板１の一部が絶縁物本体２に当接し、導電板１が位置決めされる。すなわち、図７に示すように、電線１３を電線挿入穴１０に挿入すると、鎖錠ばね部７と導電部８との間に電線１３が入って接続状態となる。寸法ａは導電部８の範囲を示す。この際、鎖錠ばね部７が弾性変形してたわみ、電線１３を導電部８側へ押し付けるとともに、別の係止部２０の凹部２０ａと凸部２０ｂが係合し、凹部２０ａを設けた側片１ｄが絶縁物本体２の内側面に当接する。これにより、クリアランスＡによる縦方向のがたつきがなくなる。また、電線挿入後は、誤って係止爪１６を押しても別の係止部２０で抜け止めされる。
【００３５】
また、電線解除穴１１より棒などを挿入して鎖錠ばね部７を押圧することで、電線１３を解除することができる。電線１３を解除すればクリアランスＡにより、導電板１と絶縁物本体２を容易に分解することができる。この際、切欠部１７が穴になっているので、この穴から係止爪１６を押して係止状態を解除することができる。
【００３６】
以上のようにこの実施の形態によれば、導電板１の分解が可能である。また、使用中に誤って分解されることがない。その他の構成効果は、第１の実施の形態と同様である。
【００３７】
この発明の第４の実施の形態を図８および図９に基づいて説明する。図８はこの発明の第４の実施の形態の端子装置の電線挿入前の断面図、図９はその電線挿入後の断面図である。
【００３８】
図８および図９に示すように、この端子装置は、導電板２１と絶縁物本体２とを備え、導電板２１と絶縁物本体２に設けた相互に係合する係止部１５により固定される。係止部１５は、導電板２１から切り起こした係止爪１６と、絶縁物本体２に設けられた切欠部１７とからなる。また、導電板２１の変形の支点Ｄが、絶縁物本体２の電線挿入穴１０側にある。
【００３９】
導電板２１は、折曲形成された４つの側片２１ａ，２１ｂ，２１ｃ，２１ｄからなり、支点Ｄを形成する一対の側片２１ａ，２１ｂで端子部３が構成される。端子部３は鎖錠ばね部７と導電部８からなる速結端子であり、一方の側片２１ａを切り起こして鎖錠ばね部７が形成され、他方の側片２１ｂに導電部８が形成されている。側片２１ｂには導電板２１の抜け止め機能として係止爪１６が設けてある。この係止爪１６は、側片２１ｃ側を切り起こして形成されている。側片２１ｃは、側片２１ｂの支点Ｄと反対側において内側へ折り返され、部材接続部４が形成される。また、側片２１ｄは、側片２１ａの支点Ｄと反対側において略直角に折曲されている。
【００４０】
絶縁物本体２は、導電板２１を挿入可能な容器であり、その内側面には係止爪１６に係合可能な切欠部１７が設けてある。この切欠部１７は外部から穴１８をあけて形成することができる。導電板２１を挿入した状態で、切欠部１７を設けた絶縁物本体２の内側面と、これに対向する導電板２１の側片２１ｂとの間にクリアランスＡが形成されている。このクリアランスＡは、縦方向のがたつきの原因である。
【００４１】
電線挿入状態では、電線挿入時の速結端子３の変形により、導電板２１の一部が絶縁物本体２に当接し、導電板２１が位置決めされる。すなわち、図９に示すように、電線１３を電線挿入穴１０に挿入すると、鎖錠ばね部７と導電部８との間に電線１３が入って接続状態となる。この際、鎖錠ばね部７が弾性変形してたわみ、電線１３を導電部８側へ押し付けて保持する。この電線１３の挿入保持により、導電部８が電線１３より力を受け導電板２１が変形しクリアランスＡが小さくなる。これに伴い、係止爪１６のたわみも大きくなる。このため、縦方向の力が大きくなり、横方向の突っ張りも生じるため、クリアランスＡによるがたつきがなくなる。
【００４２】
また、電線解除穴１１より棒などを挿入して鎖錠ばね部７を押圧することで、電線１３を解除することができる。電線１３を解除すればクリアランスＡにより、導電板２１と絶縁物本体２を容易に分解することができる。
【００４３】
以上のようにこの実施の形態によれば、電線１３の挿入保持により、クリアランスＡが小さくなり、導電板２１をこじって外すことが困難になる。また、係止爪１６と切欠部１７のかかり代が、より深くなる方向に変形する。このため、導電板２１の固定強度が高くなる。また、上記のように電線挿入前なら、開口部５から導電板２１をこじって、分解することも可能である。
【００４４】
この発明の第５の実施の形態を図１０に基づいて説明する。図１０はこの発明の第５の実施の形態の端子装置の電線挿入前の断面図である。
【００４５】
図１０に示すように、この端子装置は、導電板２１と絶縁物本体２とを備え、導電板２１と絶縁物本体２に設けた相互に係合する係止部１５により固定される。係止部１５は、導電板２１から切り起こした係止爪１６と、絶縁物本体２に設けられた切欠部１７とからなる。また、第４の実施の形態と同様に導電板２１の変形の支点Ｄが、絶縁物本体２の電線挿入穴１０側にある。
【００４６】
導電板２１は、第４の実施の形態と同様であるが側片２１ｃがなく、折曲形成された３つの側片２１ａ，２１ｂ，２１ｄからなる。また、側片２１ｂにおいて、係止爪１６は導電部８に形成されている。これにより、電線保持状態での鎖錠ばね部７先端と、導電部８に設けた係止爪１６が、対向する位置関係にある。また、側片２１ｂの導電部８に隣接した部分に部材接続部４が形成される。
【００４７】
絶縁物本体２は、導電板２１を挿入可能な容器であり、その内側面には係止爪１６に係合可能な切欠部１７が設けてある。この切欠部１７は外部から穴１８をあけて形成することができる。導電板２１を挿入した状態で、切欠部１７を設けた絶縁物本体２の内側面と、これに対向する導電板２１の側片２１ｂとの間にクリアランスＡが形成されている。このクリアランスＡは、縦方向のがたつきの原因である。
【００４８】
電線挿入状態では、電線挿入時の速結端子３の変形により、導電板２１の一部が絶縁物本体２に当接し、導電板２１が位置決めされる。すなわち、電線１３を電線挿入穴１０に挿入すると、鎖錠ばね部７と導電部８との間に電線１３が入って接続状態となる。寸法ａは導電部８の範囲を示す。この際、鎖錠ばね部７が弾性変形してたわみ、電線１３を導電部８側へ押し付けて保持する。この電線１３の挿入保持により、導電部８が電線１３より力を受け導電板２１が変形しクリアランスＡが小さくなる。これに伴い、鎖錠ばね部７に押された電線１３により係止爪１６は切欠部１７に押し付けられる。このため、縦方向の力がさらに大きくなり、横方向の突っ張りも生じるため、クリアランスＡによるがたつきがなくなる。
【００４９】
また、電線解除穴１１より棒などを挿入して鎖錠ばね部７を押圧することで、電線１３を解除することができる。電線１３を解除すればクリアランスＡにより、導電板２１と絶縁物本体２を容易に分解することができる。
【００５０】
以上のようにこの実施の形態によれば、導電板２１と絶縁物本体２の取り付けは、電線１３によって直接押さえ付けられる関係になり、より確実になる。また、電線１３は鎖錠ばね部７先端と導電部８の両方から力を受け、電線保持力が高くなる（導電部８の背面が壁の場合と同等）。その他の構成効果は、第４の実施の形態と同様である。
【００５１】
この発明の第６の実施の形態を図１１ないし図１３に基づいて説明する。図１１はこの発明の第６の実施の形態の端子装置の分解斜視図、図１２はその背面から見た分解斜視図、図１３は要部拡大断面図である。
【００５２】
図１１ないし図１３に示すように、この端子装置は、導電板２１と絶縁物本体２２とを備えている。絶縁物本体２２に、電線もしくはランプなどの電気部品の保持を行う部材保持部２３を設けている。この場合、Ｐ型グロースタータソケットへの応用例を示している。
【００５３】
導電板２１は第４の実施の形態の構成と同様であるが、係止爪１６を側片２１ｂの端縁に設けることで、電線挿入時の引っ掛かりを防止することができる。また、部材接続部４の先端に係合部４ａが設けてある。
【００５４】
絶縁物本体２２は、一対の導電板２１を対向部に設けた一対の開口部５より挿入可能な容器であり、その上面に電気部品としてグロースタータ２４の一対の口金ピン２４ａを挿入し保持する一対の部材保持部２３が形成されている。部材保持部２３はだるま穴状であり、口金ピン２４ａを大径の部分に挿入した後、グロースタータ２４を回転させて小径の部分に移動させて保持する。また、グロースタータ２４を部材保持部２３に案内する挿入ガイド２５が絶縁物本体２２の上面の周縁部に突設してある。
【００５５】
また、口金ピン２４ａが部材保持部２３に保持された状態で導電板２１の部材接続部４に接触するように導電板２１が配置される。この場合、第４の実施の形態と同様に絶縁物本体２２の内側面には、係止爪１６に係合可能な切欠部１７が設けてある。この切欠部１７は外部から穴１８をあけて形成することができる。この穴１８は導電板２１の分解用として使用可能である。
【００５６】
電線挿入状態では、電線挿入時の速結端子３の変形により、導電板２１の一部が絶縁物本体２２に当接し、導電板２１が第４の実施の形態と同様に位置決めされる。また、導電板２１の位置決め精度が高いため、導電板２１とグロースタータ２４の電気的な接触も安定する。電線１３は器具工場内で結線されるため、導電板２１が精度良く位置決めされた状態で市場に出る。
【００５７】
また、図１３に示すように、電線解除穴１１より電線解除棒２６を挿入して鎖錠ばね部７を押圧することで、電線１３を解除することができる。電線１３を解除すれば、導電板解除用ピン２７により導電板２１と絶縁物本体２２の隙間をこじれば簡単に分解することができる。導電板解除用ピン２７は開口部５から挿入することができるが、穴１８から挿入して分解することもできる。
【００５８】
以上のようにこの実施の形態によれば、グロースタータソケットを極めてシンプルに組立て易く構成できる。また、絶縁物本体２２の１部品と導電板２１の２枚のみで構成でき、導電板２１の固定にヒンジ構造やねじ等の別部品、熱かしめ等の後工程が不要となる。また、ワンタッチで組立可能だが、導電板２１のがたつき、外れ防止ができ、電線保持しない状態では容易に分解可能である。
【００５９】
なお、導電板２１と絶縁物本体２２は、第１〜３の実施の形態および第５の実施の形態の構成でもよい。
【００６０】
また、上記の各実施の形態において、絶縁物本体と導電板の間に形成された導電板挿入のためのクリアランスより、電線の挿入による導電板のクリアランスを狭くする方向への変形量を大きくすることで、電線挿入状態で導電板のがたつきがなくなる。
【００６１】
【発明の効果】
この発明の請求項１記載の端子装置によれば、端子部を鎖錠ばね部と導電部からなる速結端子とし、電線挿入時の速結端子の変形により、導電板の一部が絶縁物本体に当接し、導電板が位置決めされるので、速結端子に電線を挿入する際の導電板のたわみを利用することで、使用中（電線挿入後）は、確実に導電板の位置決めがなされる。これに伴い別の部品の部材接続部への接続を安定して行うことができる。また、電線挿入前は、導電板と絶縁物本体の間にクリアランスが形成されることで、導電板を絶縁物本体に容易に挿入することができ、組立作業性が向上するとともに容易に分解できる。
【００６２】
また、係止部は、導電板から切り起こした係止爪と、絶縁物本体に設けられた切欠部とからなるので、組立作業性を損なわない程度に予め係止爪にばね性を持たせることができる。このため、電線挿入前でも導電板の位置決めができる。また、絶縁物本体が一部品で袋状のときは、内部に突起を設けるよりも外部からな穴をあける等の切削加工により切欠部を設ける方が容易である。
【００６３】
さらに切欠部は前記穴のように、外部に貫通して係止爪の係止解除に利用することができる穴を有するとともに、電線挿入前は機能せず、電線挿入後に抜け止め機能を果たす別の係止部を導電板と絶縁物本体に設けたので、導電板の絶縁物本体からの分解が可能であるとともに、電線挿入後は、誤って係止爪が押圧されて切欠部との係止が解除されても、別の係止部で抜け止めされる。  
【００６４】
請求項２では、導電板の変形の支点が、絶縁物本体の電線挿入穴側にあるので、電線の挿入保持により開口部側の導電板と絶縁物本体のクリアランスが小さくなり、導電板をこじって外すのが困難になる。また、これに伴い係止爪と切欠部のかかり代がより深くなる方向に変形する。電線挿入前なら、開口部から導電板をこじって外し、分解することも可能である。
【００６６】
請求項３では、導電板の位置決め精度が請求項１または請求項２の構成により高いため、絶縁物本体に、導電板の部材接続部に接続される電線もしくはランプなどの電気部品の保持を行う部材保持部を設けることで、導電板と電気部品の電気的な接触も安定する。
【００６７】
請求項４では、絶縁物本体と導電板の間に形成された導電板挿入のためのクリアランスより、電線の挿入による導電板のクリアランスを狭くする方向への変形量が大きいので、電線挿入状態で導電板のがたつきがなくなる。
【図面の簡単な説明】
【図１】この発明の第１の実施の形態の端子装置の電線挿入前の断面図である。
【図２】図１の電線挿入後の断面図である。
【図３】この発明の第２の実施の形態の端子装置の電線挿入前の断面図である。
【図４】図３の電線挿入後の断面図である。
【図５】第２の実施の形態において係止爪の作用説明図である。
【図６】この発明の第３の実施の形態の端子装置の電線挿入前の断面図である。
【図７】図６の電線挿入後の断面図である。
【図８】この発明の第４の実施の形態の端子装置の電線挿入前の断面図である。
【図９】図８の電線挿入後の断面図である。
【図１０】この発明の第５の実施の形態の端子装置の電線挿入前の断面図である。
【図１１】この発明の第６の実施の形態の端子装置の分解斜視図である。
【図１２】図１１の背面から見た分解斜視図である。
【図１３】第６の実施の形態の要部拡大断面図である。
【図１４】従来例の断面図である。
【符号の説明】
１，２１  導電板
２，２２  絶縁物本体
３  端子部
４  部材接続部
５  開口部
６，１５  係止部
７  鎖錠ばね部
８  導電部
１３  電線
１６  係止爪
１７  切欠部
２０  別の係止部
２３  部材保持部
【図１】
0004042447.tif 000002
【図２】
0004042447.tif 000003
【図３】
0004042447.tif 000004
【図４】
0004042447.tif 000005
【図５】
0004042447.tif 000006
【図６】
0004042447.tif 000007
【図７】
0004042447.tif 000008
【図８】
0004042447.tif 000009
【図９】
0004042447.tif 000010
【図１０】
0004042447.tif 000011
【図１１】
0004042447.tif 000012
【図１２】
0004042447.tif 000013
【図１３】
0004042447.tif 000014
【図１４】
0004042447.tif 000015